(57)【要約】【課題】  多層のＲＯＭディスクに対して著作権保護用の信号の記録を可能にし、識別管理を行うことができるＲＯＭディスクとその製造方法、及びこのＲＯＭディスクを有する両面貼り合せの光ディスクを提供するものである。【解決手段】  基板２上に情報記録が施された反射膜３とその上の中間層４を形成した状態、あるいは情報記録が施された反射膜３を形成した状態で、レーザ光を用いて反射膜３に著作権保護用の信号１１を記録し、その後、情報記録の層数に応じて他の情報記録が施された反射膜５を中間層を介して積層し、最後に反射膜上にカバー層６を形成して、少なくとも２層以上の情報記録を有するＲＯＭディスクを得る。【選択図】      図５
2006351120.tif 000002
【特許請求の範囲】
【請求項１】
基板上に２層以上の多層の記録層を有するＲＯＭディスクであって、
基板側の記録層には、この記録層とその上の中間層だけが形成された状態でレーザ光を用いて著作権保護用の信号が記録された記録領域を有している
ことを特徴とするＲＯＭディスク。
【請求項２】
基板上に２層以上の多層の記録層を有するＲＯＭディスクであって、
基板側の記録層には、この記録層だけが形成された状態でレーザ光を用いて著作権保護用の信号が記録された記録領域を有している
ことを特徴とするＲＯＭディスク。
【請求項３】
前記記録層間の中間層の厚みが１μｍ〜３０μｍの範囲に設定されている
ことを特徴とする請求項１又は２記載のＲＯＭディスク。
【請求項４】
それぞれ記録層を有する第１及び第２のディスクが両面貼り合わされてなる光ディスクであって、
少なくとも第１のディスクが、基板上に２層以上の多層の記録層を有するＲＯＭディスクで形成され、基板側の記録層には、この記録層とその上の中間層だけが形成された状態でレーザ光を用いて著作権保護用の信号が記録された記録領域を有している
ことを特徴とする光ディスク。
【請求項５】
それぞれ記録層を有する第１及び第２のディスクが両面貼り合わされてなる光ディスクであって、
少なくとも第１のディスクが、基板上に２層以上の多層の記録層を有するＲＯＭディスクで形成され、基板側の記録層には、この記録層だけが形成された状態でレーザ光を用いて著作権保護用の信号が記録された記録領域を有している
ことを特徴とする光ディスク。
【請求項６】
前記記録層間の中間層の厚みが１μｍ〜３０μｍの範囲に設定されている
ことを特徴とする請求項４又は５記載の光ディスク。
【請求項７】
基板上に情報記録が施された反射膜とその上の中間層を形成した状態で、レーザ光を用いて前記反射膜に著作権保護用の信号を記録し、
その後、情報記録の層数に応じて他の情報記録が施された反射膜を中間層を介して積層し、
最後に反射膜上にカバー層を形成して、少なくとも２層以上の情報記録を有するＲＯＭディスクを製造する
ことを特徴とするＲＯＭディスクの製造方法。
【請求項８】
基板上に情報記録が施された反射膜を形成した状態で、レーザ光を用いて前記反射膜に著作権保護用の信号を記録し、
その後、情報記録の層数に応じて他の情報記録が施された反射膜を介して積層し、
最後に反射膜上にカバー層を形成して、少なくとも２層以上の情報記録を有するＲＯＭディスクを製造する
ことを特徴とするＲＯＭディスクの製造方法。
【請求項９】
著作権保護用の信号が記録される前の前記中間層の厚みを、１μｍ〜３０μｍの範囲内に設定する
ことを特徴とする請求項７又は８記載のＲＯＭディスクの製造方法。
【発明の詳細な説明】
【技術分野】
【０００１】
本発明は、少なくとも２層以上の多層の記録層を有し、１層の記録層に著作権保護のための信号が記録されてなる読み出し専用の光ディスク、いわゆるＲＯＭディスクとその製造方法、及び少なくとも片側を上記ＲＯＭディスクとした両面貼り合せの光ディスクに関する。
【背景技術】
【０００２】
光ディスクで一般的となったＤＶＤ（digital versatile  disc）は、その記録容量の大きさから、さまざまなコンテンツ（情報内容）の保存メディアとして普及してきている。しかしながら、最近開始されたデジタル放送の映像を録画するには、ＤＶＤと言えども、容量が足りなくなってきている。そのため、ブルーレーザを使った新たな光ディスク、例えばブルーレイディスク（登録商標）、ＨＤ−ＤＶＤ（high  definition  DVD）がこのデジタルハイビジョン録画用として登場してきている。当然のことながら、映画ソフトが格納されているＲＯＭディスクも着々と準備が進み、手軽にＨＤ画像の映画を見ることが出来るのも時間の問題である。
【０００３】
このような新たな光ディスクの普及には、その利便性や価格などの面が重要となるものの、結果的には違法コピーをし易くさせている部分でもある。著作権保護を全く行わなかったＣＤに対し、ＤＶＤは、機器間で違法合法の判別を行い、違法コピーを防いでいた。しかし実際には、それを無視したドライブやユーザーによって、それが守られていないのが現状である。これらを解決するために著作権保護用の信号をディスクに記録する事が最近提案されてきた。その中で実際に使われている技術の一つがＢＣＡ（Burst  Cutting Area）である。これは、一枚一枚に個別のシリアル番号と暗号化された認証キーが信号として記録される技術である。すでに、これを導入したディスクとドライブがブルーレイシステムとして登場している。
【０００４】
光ディスクは、その種類として大きく３種類に大別することが出来る。１つは、読み出し専用（read  only）と呼ばれるＲＯＭディスクである。２つめは、書き換え可能なＲＷあるいはＲＡＭディスクである。そして、３つめは一度だけ書き込みの出来る、Ｒ，ＷＯディスクである。書き込みの出来るＲＷやＲディスクは、その本質的な特徴から、容易にＢＣＡ記録が可能であるが、記録を必要としないＲＯＭディスクの場合は、非常に困難である。
【０００５】
さらに読出し用のレーザとして青色光源を用いたブルーレイディスクやＨＤ−ＤＶＤは、さまざまな用途に対応できるよう、多層化することによって、その記録容量を飛躍的に上げることが出来る。多層化を可能とする反射膜は、ブルーレーザの波長領域において、十分な反射率と透過率を有する必要がある。現在コスト的に最も有力視されているのが、銀合金である。しかしながら、この銀合金にＢＣＡ記録を行うためには、非常に強力なレーザ、例えば数百ワットのＹＡＧレーザを使うしか方法がない。ＹＡＧレーザは、非常に高価であるばかりか、半導体レーザに比べると、比較にならないほど体積が大きく、生産ラインの中で占める割合が高くなり、結果的に大きなコストアップにつながってしまう。
【０００６】
多層化したＲＯＭディスクの場合、読み出し側から奥の反射膜、いわゆる基板側の反射膜（これをＬ0 と呼ぶ）の内周側にＢＣＡを記録してきた。これはカバー層の厚みがもっとも大きな反射膜がシステムのディスクスキューマージンを制限する事と、単層ディスクとの互換性から、Ｌ0 を基準の反射膜として、一番最初にフォーカスを掛けることになっていたからである。従って、このＬ0 の反射膜にＢＣＡなどの著作権保護用の信号を記録する事は自然であった。
【０００７】
しかし、ディスクが多層になるにつれ、それぞれの層において光学的損失を受け、Ｌ0 の反射膜に到達したレーザ光は相当な光量が落ちてしまう問題が存在した。ＲＯＭディスクの反射率から言っても単層状態で記録することだけでも困難な状況なのに、多層になったことでレーザを相当な高出力化する事は現状でも難しい。仮に可能としてもレーザの価格や設備の負担が大きくなる事が容易に考えられる。単層ディスクでこれら著作権保護の信号を記録できたとして、このシステムに大きな改造を伴わず多層ディスクに対応できる事が望まれている。
【０００８】
なお、記録済みの光ディスクに従来規格に基いて追加情報が記録された光ディスク媒体、データ記録方法及び装置に関する技術が、特許文献１に記載されている。
【特許文献１】国際公開第０２／１０１７３３号
【発明の開示】
【発明が解決しようとする課題】
【０００９】
本発明は、上述の点に鑑み、多層のＲＯＭディスクに対して著作権保護用の信号の記録を可能にし、識別管理を行うことができるＲＯＭディスクとその製造方法、及びこのＲＯＭディスクを有する両面貼り合せの光ディスクを提供するものである。
【課題を解決するための手段】
【００１０】
本発明に係るＲＯＭディスクは、基板上に２層以上の多層の記録層を有するＲＯＭディスクであって、基板側の記録層には、この記録層だけが形成された状態、又は記録層とその上の中間層だけが形成された状態でレーザ光を用いて著作権保護用の信号が記録された記録領域を有して構成される。
【００１１】
本発明に係るＲＯＭディスクの製造方法は、基板上に情報記録が施された反射膜を形成した状態、又は情報記録が施された反射膜とその上の中間層を形成した状態で、レーザ光を用いて反射膜に著作権保護用の信号を記録し、その後、情報記録の層数に応じて他の情報記録が施された反射膜を、中間層を介して積層し、最後に反射膜上にカバー層を形成して、少なくとも２層以上の情報記録を有するＲＯＭディスクを製造する。
【００１２】
本発明に係る光ディスクは、それぞれ記録層を有する第１及び第２のディスクが貼り合わされてなる光ディスクであって、少なくとも第１のディスクが、基板上に２層以上の多層の記録層を有するＲＯＭディスクで形成され、基板側の記録層には、この記録層だけが形成された状態、又はこの記録層とその上の中間層だけが形成された状態でレーザ光を用いて著作権保護用の信号が記録された記録領域を有して構成される。
【発明の効果】
【００１３】
本発明によれば、多層のＲＯＭディスクに対して著作権保護の信号を記録し、識別管理を行うことができる。著作権保護の信号の記録においては、低出力のレーザ光で記録できる。
【発明を実施するための最良の形態】
【００１４】
多層の光ディスクにおいては、著作権保護の信号をレーザ光により記録する場合、基板側の第１層の記録層であるＬ0 の反射膜に記録される。このとき、レーザ光は、Ｌ0 の反射膜に到達するまでにカバー層とＬ1 からＬＮまでの反射膜（基板側のＬ0 に近い順にＬ1 ，Ｌ2 ，・・ＬＮと呼ぶ）及びそれらの間を埋めるＮ個の中間層を透過しなければならない。カバー層や中間層は透過率の非常に高い材料で構成されるので、光学的な損失はほとんど受けない。しかし、Ｌ1 、Ｌ2 、・・ＬＮの反射層は信号を読み出すためにある程度の反射率を有するため、透過率が相当落ちてしまう。入射光は一個の反射膜を通過するごとにその透過率分下がるので、Ｌ0 単体に必要な記録パワーの数倍から数十倍のパワーを有するレーザ光を入射させなければ記録することが困難になる。
【００１５】
本発明の実施の形態は、これを解決するＲＯＭディスクを提案する。
例えば、ブルーレイディスクによるＲＯＭディスクの多層化は、通常の両面貼り合せＤＶＤの２層化と違い、ポリカーボネート基板などの基板上にＬ0 の反射膜をスパッタなどで成膜し、その上に中間層を形成し、さらにその上にＬ1 の反射膜を成膜し、また中間層を形成し、この工程をＮ回繰り返してＬＮの反射膜を成膜して、最後にカバー層を形成して製作される。
【００１６】
通常はその後でＬ0 の反射膜にレーザ光をフォーカスして著作権保護の信号を記録することになる。しかし、本発明の実施の形態では、Ｌ0 の反射膜を成膜した後か又はその後の中間層を形成した後で、レーザ光をフォーカスして著作権保護の信号を記録し、その後に以降の反射膜や中間層を形成してディスクを製作する。すなわち、著作権保護の信号の記録に際して、信号記録工程の順番を変更することで低パワーのレーザ光で著作権保護の信号が記録された多層ＲＯＭディスクを実現できる。また、単層のＲＯＭディスクに著作権保護の信号が記録できたとして、そのシステムに大きな改造を与えずに多層のＲＯＭディスクにも同じ著作権保護の信号を記録することが可能になる。
【００１７】
当然カバー層の厚みが従来の約１００μｍから３０μｍ以下に変わるので、対物レンズをそれに対応した物に換えなければならないが、この改造は全体からみれば僅かな負担にしかならない。また、単層ディスクよりもカバー層が薄くなる（究極には直に空気に接する）ので、その分、記録感度が上がることも期待できる。これにより、透過率の高いカバー層だけの単層ディスクとほぼ同じ状態になるので、多層ディスクでも記録パワーを大きく上げる必要が無くなる。
【００１８】
以下、図面を参照して本発明の実施の形態を詳細に説明する。
【００１９】
図１〜図３に、本発明に係るＲＯＭディスクの一実施の形態を示す。本実施の形態のＲＯＭディスクは、片面２層の記録層を有するブルーレイディスクで構成されたＲＯＭディスクに適用した場合である。
本実施の形態のＲＯＭディスク１は、図１に示すように、直径２Ｒが１２０ｍｍ、ディスク厚ｄが１．２ｍｍである。再生のためのレーザ波長は４０５ｎｍの青紫色レーザが用いられ、対物レンズの開口率ＮＡは０．８５である。このＲＯＭディスク１は、図１Ｂの断面構造で示すように、基板である例えば直径１２０ｍｍ、厚み１．１ｍｍのポリカーボネート基板２の一主面に映像や音楽のデジタル情報が入ったピット状の記録パターン７が転写され、この基板２の表面に第１層の記録層となるＬ0 の反射膜、例えば銀合金反射膜３が成膜される。さらに、第１層の反射膜３上にＬ0とは違う映像や音楽のデジタル情報が入ったピット状の記録パターン８が転写された中間層４が形成され、この中間膜４上に第２層の記録層となるＬ1 の反射膜、例えば銀合金反射膜５が成膜される。銀合金反射膜３、５は、例えばスパッタリング法で真空中で成膜される。また、中間層４は、例えば粘着材付きの厚み２５μｍのシート状体を反射膜３上に接着した後、スタンパを介してＬ1 の記録パターン８を転写して形成される。さらに、第２層の反射膜５上に例えば紫外線硬化樹脂（ＵＶ樹脂）による接着剤により厚み７５μｍのカバー層６が貼り合わされて構成される。ここで、第１層の反射膜３と第２層の反射膜５は、両方の戻り光が同じくらいになるように厚さが調整される。光学特性でみると、第１層のＬ0 の反射膜３は膜厚が厚くて高反射率を有し、第２層のＬ1 の反射膜５は膜厚が薄くて低反射率・高透過率を有している。
【００２０】
そして、本実施の形態においては、第１層の記録層となるＬ0 の反射膜３に著作権保護用の信号１１が記録された記録領域１２を有する。（図２、図３参照）。この著作権保護用の信号１１は、ディスク１の内周に記録され、Ｌ0 の反射膜３とその上のＬ1 の中間層４だけ形成した状態、またはＬ0 の反射膜３だけ形成した状態でレーザ光により記録される。記録後に、Ｌ1 の反射膜５を形成し、又はＬ1 の中間層４とＬ1 の反射膜５を形成し、さらにカバー層６を形成して完成される。
【００２１】
著作権保護用の信号１１の記録としては、例えばＢＣＡ信号を記録するときは、図２に示すように、バーコード状にＬ0 の反射膜３の一部１３を飛ばして（除去して）記録する。すなわち、再生時に、反射膜３が除去された部分１３分はレーザ光が反射せずに透過し反射膜３が残っている部分はレーザ光が反射することになり、信号の再生がなされる。再生では、反射膜３が飛んだ部分１３が「暗」、反射膜３が残った部分が「明」となり、この明暗で信号が読み出せる。このＢＣＡ信号は赤外レーザ光で記録することができる。
【００２２】
また、著作権保護用の信号１１としては、図３に示すように、ピット１４と見なされるような信号で記録することも可能である。この場合は、反射膜３、５に記録されている信号パターン７、８と同じようなピット情報で記録される。例えば青色レーザを照射することにより、Ｌ0 の反射膜３を結果として凹凸に変形させる。例えば反射膜３に青色レーザを集光し焦点を結ばさせて、高いパワーのパルスを投入することで熱変形を起こさせることにより、ピットとして信号が記録される。
【００２３】
本実施の形態に係る２層ＲＯＭディスク１によれば、基板２側のＬ0 の反射膜３に対して、反射膜３と中間層４が形成された状態、あるいは反射膜３が形成された状態で著作権保護用の信号１１が記録された記録領域を有することにより、ＲＯＭディスクの識別管理を行うことができると共に、低出力レーザ光による著作権保護用の信号の記録を可能にする。
【００２４】
次に、上述の本発明に係るＲＯＭディスクの製造方法の実施の形態を説明する。
先ず、図４に著作権保護用の信号を記録する装置の概略を示す。この記録装置２１は、通常の光ディスクシステムと概略同じ構成である。記録装置２１は、ディスク１を載置して回転させるスピンドルモータ２３を一体に有するディスク受け台２２と、レーザダイオードによる記録・再生用のレーザ光源２５と、レーザ光源２５を駆動するレーザドライバー２４と、光学系２６と、レーザ光源２５を含む光学系２６をＸＹ平面内で移動させるスレッド２７と、ディテクタ２８を備える。光学系２６は、レーザ光源２４から出射したレーザ光を平行光にするためのコリメータレンズ３１と、ビームスプリッタ３２と、２軸デバイス３３を介して配置された対物レンズ３４と、ビームスプリッタ３２で光路が変更された戻り光をディテクタ２８に集光させるための集光レンズ３５とを有して構成される。
【００２５】
この記録装置２１では、ＲＯＭディスク１がスピンドルモータ２３で所望の回転数で回転される。レーザ光源２４から出射されたレーザ光がコリメータレンズ３１及びビームスプリッタ３２を経由して対物レンズ３４でＲＯＭディスク１のＬ0 の反射膜３に集束される。その後、反射膜３から反射して戻ってきた反射光がビームスプリッタ３２で光路が変えられ、集光レンズ３５でディテクタ２８に集光される。ディテクタ２８からは外部のサーボ回路に信号が送られ、フォーカス・トラッキング・スレッドのサーボが掛けられ、２軸デバイス３３とスレッド２７でレーザ光のディスク１への照射位置が所望の位置に調整される。そして、レーザドライバー２４で光量を変調して反射膜Ｌ0 著作権保護用の信号１１を記録する。なお、図４ではレーザ光がディスク１の外周に対応する部分に照射されているように作図されているが、実際はディスク１の内周に対応する部分に照射されるように構成される。
【００２６】
図５は、本発明のＲＯＭディスク１の製造方法の一実施の形態を示す。本例は上述した片面２層の記録層を有するブルーレイディスクによるＲＯＭディスクの製造に適用した場合である。
先ず、図５Ａに示すように、Ｌ0 の記録パターンの凹凸が転写された基板、本例ではポリカーボネート基板２上に、Ｌ0 の反射膜３が成膜され、この反射膜３上にＬ1 の記録パターンの凹凸が転写された中間層４が形成された状態で、この基板２を図４の記録装置２１に設置し、レーザ光３７をＬ0 の反射膜３に集束させた状態で照射して著作権保護用の信号１１を記録する。この場合、ＲＯＭディスクの内周に対応したＬ0 の反射膜３に著作権保護用の信号１１を記録する。中間層４の膜厚としては、１μｍ〜３０μｍの範囲に設定することが好ましい。この１μｍ〜３０μｍの範囲であれば、カバー層とほぼ同じ効果がある。１μｍより薄いのは製造上困難になる不都合があり、３０μｍを越えるとその分カバー層の厚みが減少し、塵・埃・傷などに弱くなる不都合がある。また、L0とL1の層間干渉があるので、現状は約２０μｍぐらい必要ではあるが、ディスクの多層化や光学系の改良で将来はもっと薄くすることが可能になると思われる。
【００２７】
すなわち、図５Ｂに示すように、基板内周に対応した部分のＬ0 の反射膜３に著作権保護用の信号１１が記録される。この例では、著作権保護用の信号１１としてＢＣＡ信号を記録するため、Ｌ0 の反射膜３にはバーコード状に反射膜３の一部１３をレーザ光３７により除去してＢＣＡ信号が記録される。
【００２８】
その後は、図５Ｃに示すように、通常の工程と同様に中間層４上にＬ1 の反射膜５を成膜し、さらにカバー層６を貼り合わせて目的の第１層の記録層であるＬ0 に反射膜３に著作権保護用の信号１を記録してなるブルーレイディスクによる２層ＲＯＭディスク１を得る。
【００２９】
上述の本実施の形態のＲＯＭディスクの製造方法によれば、基板２上に第１層のＬ0 の反射膜３とＬ1 の記録パターンが転写された中間層４だけを形成した状態でレーザ光３７により著作権保護用の信号１１を記録するので、これは  単層ディスクのカバー層が非常に薄い状態と等価になる。従って、低い記録パワーすなわちレーザパワーで２層ＲＯＭディスク１の基板２側のＬ0 の反射層３に著作権保護用の信号１１を記録することができる。本実施の形態では、むしろ単層ディスクに記録する場合より、記録パワーが低くなる可能性がある。
【００３０】
Ｌ1 の記録パターンが転写された中間膜４を介して記録した場合には、対物レンズ３４の衝突によってＬ0 反射膜３が傷付くのを保護することができる。また、中間膜４が有ることにより、レーザ光３７が中間膜４で屈折し、より絞られた状態でレーザ光３７をＬ0 反射膜３に入射させることができる。
【００３１】
因みに、図８に示すように、基板５２上に順次Ｌ0 の反射層５３、中間層５４、Ｌ1 の反射層５５及びカバー層５６を積層して２層のＲＯＭディスク５１を完成させた後、カバー層５６側からレーザ光５７を対物レンズ５８を介してＬ0 の反射膜５３に集束して著作権保護用の信号１１を記録する場合には、レーザ光５７がＬ1 の反射膜５５を通過して入射される。このためレーザ光５７はＬ１の反射膜５５の透過率だけ光量が落ちてからＬ0 の反射膜５３に到達することになる。従ってＬ0 の反射膜５３に著作権保護用の信号１１を記録に必要なレーザパワーはカバー層５６だけの場合に比べて２倍近く必要になる。しかし、本実施の形態ではＬ0 の反射膜３と中間層４を形成した後に信号を記録するので、レーザパワーが低くて済む。
【００３２】
本実施の形態では、記録装置２１として、相変化膜を利用した記録可能なＤＶＤの製造で行われる相変化膜の初期化処理として用いられる初期化装置を使用することができる。この初期化装置による初期化は赤外レーザによって行われる。この初期化装置を利用して大幅な変更をせずに、多層のＲＯＭディスクのＬ0 の反射膜に著作権保護用の信号、例えばＢＣＡ信号を記録することができる。
【００３３】
本実施の形態によれば、光ディスクの単層ＲＯＭディスクに著作権保護用等の信号を記録していた工程や記録装置にたいして大幅な変更や改造をしなくても、多層のＲＯＭディスクにも著作権保護の信号を記録することができる。特に、レーザの高出力化は光源自身の価格も上がるし、その設備のメンテンス等の負担も大きくなり、最終的に光ディスクの価格に跳ね返ってくる。本実施の形態はこのような点の解決に非常に有効である。
【００３４】
図６は、本発明にＲＯＭディスク１の製造方法の他の実施の形態を示す。
先ず、図６Ａに示すように、Ｌ0 の記録パターンの凹凸が転写された基板、本例ではポリカーボネート基板２上に、Ｌ0 の反射膜３が成膜された状態で、この基板２を図４の記録装置２１に設置し、レーザ光３７をＬ0 の反射膜３に集束させた状態で照射して著作権保護用の信号１１を記録する。この場合、ＲＯＭディスクの内周に対応した部分のＬ0 の反射膜３に著作権保護用信号１１を記録する。
【００３５】
すなわち、図６Ｂに示すように、基板内周に対応した部分のＬ0 の反射膜３に著作権保護用の信号１１が記録される。この例では、著作権保護用の信号１１としてＢＣＡ信号を記録するため、Ｌ0 の反射膜３にはバーコード状に反射膜３の一部１３をレーザ光３７により除去してＢＣＡ信号が記録される。
【００３６】
その後は、図６Ｃに示すように、通常の工程と同様にＬ1 の記録パターンの凹凸が転写された中間層４を形成し、この中間層４上にＬ1 の反射膜５を成膜し、さらにカバー層６を貼り合わせて目的の第１層の記録層であるＬ0 に反射膜３に著作権保護用の信号を記録してなるブルーレイディスクによる２層ＲＯＭディスク１を得る。
【００３７】
本実施の形態のＲＯＭディスクの製造方法においても、前述の図５の実施の形態の製造方法と同様に低いレーザパワーで２層ＲＯＭディスクの基板２側のＬ0 反射膜３に著作権保護用の信号１１を記録することができる等、図５の実施の形態の製造方法と同様の効果を奏する。
【００３８】
図７に、本発明のＲＯＭディスクを利用した光ディスクの実施の形態を示す。本実施の形態に係る光ディスク４１は、それぞれ記録層の反射膜を有する第１のディスク４２と第２のディスク４３が貼り合わされ、少なくとも一方のディスク４２を上述した本発明による著作権保護用の信号１１（図７では斜線で示すが、前述の図２の反射膜の除去、あるいは図３のピット状の凹凸による信号）を記録した２層ＲＯＭディスク１で形成した、いわゆる両面貼り合せ光ディスクとして構成される。すなわち、ディスク４２は、例えばポリカーボネート基板２上にＬ0 の反射層３、中間層４、Ｌ1 の反射層５及びカバー層６からなり、Ｌ0 の反射膜３に上述の製法により記録された著作権保護用の信号１１が形成されて成る。一方、他方のディスク４３は、例えば一度だけ書き込みできるＲあるいはＷＯディスク、書換え可能なＲＷあるいはＲＡＭディスク、さらには本発明の２層ＲＯＭディスクなど、任意のディスクで構成することができる。本例では、第２のディスク４３が、例えばポリカーボネート基板４４上に相変化材料を用いた第１記録層４５と中間層４６と相変化材料を用いた第２記録層４７及びカバー層４８からなる記録可能なディスクとして構成される。
【００３９】
本実施の形態の光ディスク４１によれば、いわゆる複合ディスクとして構成することができる。少なくとも第１ディスク４２が本発明の構成である２層ＲＯＭディスク１で形成されるので、２層ＲＯＭディスク４２において、低出力レーザ光による著作権保護の信号の記録を可能にし、ＲＯＭディスクの識別管理を行うことができるなど、上述したと同様の作用効果を奏する。
【００４０】
本発明は、２層のＲＯＭディスクに限らず、２層以上の多層のＲＯＭディスクに適用することができる。
著作権保護用の信号としては、ＢＣＡ信号、その他のピット信号を用いることができる。ピット信号による場合は、青色レーザで記録することが望ましい。ＢＣＡ信号の記録には、赤外レーザに限らず他の波長のレーザ、例えば青色レーザで記録することも可能である。レーザ光源としては、半導体レーザが設備の点で好ましい。
【００４１】
本発明はブルーレイディスクのＲＯＭディスクに適用して好適である。
【図面の簡単な説明】
【００４２】
【図１】Ａ，Ｂ  本発明に係るＲＯＭディスクの実施の形態を示す平面図及びその要部の断面図である。
【図２】本発明に係るＲＯＭディスクの第１実施の形態を示す要部の断面図である。
【図３】本発明に係るＲＯＭディスクの第２実施の形態を示す要部の断面図である。
【図４】本発明に係るＲＯＭディスクの製造に適用される著作権保護用の信号の記録装置の概略図である。
【図５】Ａ〜Ｃ  本発明に係るＲＯＭディスクの製造方法の第１実施の形態を示す製造工程図である。
【図６】Ａ〜Ｃ  本発明に係るＲＯＭディスクの製造方法の第２実施の形態を示す製造工程図である。
【図７】本発明に係るＲＯＭディスクを有する光ディスクの実施の形態を示す断面図である。
【図８】比較例に係る著作権保護用の信号の記録方法を示す工程図である。
【符号の説明】
【００４３】
１・・ＲＯＭディスク、２・・基板、３・・Ｌ0 の反射膜、４・・中間層、５・・Ｌ1 の反射膜、５・・カバー層、７、８・・記録パターン、１１・・著作権保護用の信号、１３・・反射膜の欠除部分、１４・・反射膜の凹凸部分、２１・・記録装置、４１・・光ディスク、４２・・第１ディスク、４３・・第２ディスク
【図１】
2006351120.tif 000003
【図２】
2006351120.tif 000004
【図３】
2006351120.tif 000005
【図４】
2006351120.tif 000006
【図５】
2006351120.tif 000007
【図６】
2006351120.tif 000008
【図７】
2006351120.tif 000009
【図８】
2006351120.tif 000010